(57)【要約】【課題】紙葉類の異常搬送位置等を該フォトセンサの近傍で表示することができる可視発光素子を有し、配線量を増加することなく該可視発光素子の発光の制御が可能なフォトセンサ及び該フォトセンサを備えた紙葉類取扱装置を提供する。【解決手段】フォトセンサの発光素子として用いられる不可視発光素子１１と、不可視発光素子１１に電流を供給する配線１６から、不可視発光素子１１と並列に電流が供給される表示用の可視発光素子１３と、可視発光素子１３と直列に配線１６に接続され、配線１６から供給される電流又は電圧が所定の閾値以下のとき、不可視発光素子１１は発光するが、可視発光素子１３は消灯状態であり、所定の閾値を超える電流又は電圧が配線１６から供給されたとき、可視発光素子１３を発光させるレベルシフタ１４と、を備える。レベルシフタ１４として、可視発光素子１３自体が内包する固有の順方向降下電圧を用いてもよい。【選択図】図１
2015172810.tif 000002
【特許請求の範囲】
【請求項１】
フォトセンサの発光素子として用いられる第１の発光素子と、
前記第１の発光素子に電流を供給する配線から、前記第１の発光素子と並列に電流が供給される表示用の第２の発光素子と、
前記第２の発光素子と直列に前記配線に接続され、前記配線から供給される電流又は電圧が所定の閾値以下のとき、前記第１の発光素子は発光するが、前記第２の発光素子は消灯状態であり、前記所定の閾値を超える電流又は電圧が前記配線から供給されたとき、前記第２の発光素子を発光させる発光動作点レベルシフト手段と、
を備えたフォトセンサ。
【請求項２】
フォトセンサの発光素子として用いられる第１の発光素子と、
前記第１の発光素子に電流を供給する配線から、前記第１の発光素子と並列に電流が供給される表示用の第２の発光素子と、
を備え、
前記第１の発光素子と前記第２の発光素子とは、異なる順方向降下電圧を有し、
前記第１の発光素子の順方向降下電圧は、前記配線から供給される電流又は電圧が所定の閾値以下のときでも前記第１の発光素子が発光する順方向降下電圧であり、
前記第２の発光素子の順方向降下電圧は、前記配線から供給される電流又は電圧が前記所定の閾値以下のときは前記第２の発光素子が消灯状態であり、前記所定の閾値を超える電流又は電圧が前記配線から供給されたとき、前記第２の発光素子が発光する順方向降下電圧である
フォトセンサ。
【請求項３】
紙葉類の搬送位置を検知する複数のフォトセンサの発光素子と、
前記フォトセンサの各発光素子に電流を供給する各配線から、前記フォトセンサの各発光素子と並列に電流が供給される表示用の各可視発光素子と、
前記表示用の各可視発光素子と直列に前記各配線に接続され、前記各配線から供給される電流又は電圧が所定の閾値以下のとき、前記フォトセンサの各発光素子は発光するが、前記表示用の各可視発光素子は消灯状態であり、前記所定の閾値を超える電流又は電圧が前記各配線から供給されたとき、前記表示用の各可視発光素子を発光させる発光動作点レベルシフト手段と、
前記表示用の可視発光素子を発光させるため、前記フォトセンサの各発光素子に流れる電流を制御する制御手段
を備えた紙葉類取扱装置。
【請求項４】
紙葉類の搬送位置を検知するフォトセンサの発光素子と、
前記フォトセンサの各発光素子に電流を供給する各配線から、前記フォトセンサの各発光素子と並列に電流が供給される表示用の各可視発光素子と、
前記表示用の可視発光素子を発光させるため、前記フォトセンサの各発光素子に流れる電流を制御する制御手段と、
を備え、
前記フォトセンサの各発光素子と前記表示用の各可視発光素子とは、異なる順方向降下電圧を有し、
前記フォトセンサの各発光素子の順方向降下電圧は、前記各配線から供給される電流又は電圧が所定の閾値以下のときでも前記フォトセンサの各発光素子が発光する順方向降下電圧であり、
前記表示用の各可視発光素子の順方向降下電圧は、前記各配線から供給される電流又は電圧が前記所定の閾値以下のときは前記表示用の各発光素子が消灯状態であり、前記所定の閾値を超える電流又は電圧が前記各配線から供給されたとき、前記表示用の各可視発光素子が発光する順方向降下電圧である、
ことを特徴とする紙葉類取扱装置。
【請求項５】
前記表示用の各可視発光素子は、前記配線により該可視発光素子と並列に電流が供給される前記フォトセンサの各発光素子の近傍にそれぞれ配置され、前記表示用の各可視発光素子を発光させるパルス電流を供給する電流供給手段を備えたことを特徴とする請求項３又は４記載の紙葉類取扱装置。
【請求項６】
前記表示用の各可視発光素子は、前記配線により該可視発光素子と並列に電流が供給される前記フォトセンサの各発光素子の近傍の位置であって、搬送路における前記フォトセンサの発光素子が設けられた面と対向する位置に配置されたことを特徴とする請求項３乃至５の何れか１項に記載の紙葉類取扱装置。
【請求項７】
前記紙葉類の搬送異常が検出された位置の周辺部に配置された複数のフォトセンサの前記発光素子と並列に電流が供給される前記表示用の可視発光素子を発光させる制御手段を備えたことを特徴とする請求項３乃至６の何れか１項に記載の紙葉類取扱装置。
【発明の詳細な説明】
【技術分野】
【０００１】
本発明は、搬送される紙葉類等を検知するフォトセンサ、及び紙葉類を搬送路内で移動させて処理する紙葉類取扱装置に関する。紙葉類取扱装置は、カードや通帳や単票や紙幣等を含む紙葉類を取り扱う自動取引装置（ＡＴＭ；Automated Teller Machine）や、自動販売機、入出金装置、両替機等で使用され、紙幣の収納や釣銭の払出し等を行う紙幣還流装置や、印刷用紙等を搬送する複写機や印刷装置等に使用される。
【背景技術】
【０００２】
図６は紙葉類取扱装置及びフォトセンサの構成例を示す。図６の（ａ）に示すように、紙葉類取扱装置６０は、複数のローラー６２を配置した搬送機構を備え、紙葉類６１をローラー６２の回転により搬送路６８内で順次移動させる。搬送路６８内には、紙葉類６１がどの位置に移動したかを検知するための複数のフォトセンサが配置されている。
【０００３】
フォトセンサは、図６の（ｂ）に示すように、発光素子６３と該発光素子６３からの光を受光する受光部６４とを有し、搬送路６８内を移動する紙葉類６１が、発光素子６３と受光部６４との間を通過するときに、該発光素子６３からの光が該紙葉類６１によって遮光されたことを該受光部６４で検知し、該遮光の検知により搬送路６８での紙葉類６１の通過を検出する。
【０００４】
発光素子６３には発光ダイオードを用いることができ、受光部６４にはフォトダイオード又はフォトトランジスタの受光素子を用いることができる。受光部６４には、該受光素子の光半導体素子に増幅回路を一体化した電子部品を用いてもよい。
【０００５】
紙葉類６１の搬送路６８内には、紙葉類６１の搬送状態を認識するため、発光素子６３及び受光部６４を用いた複数のフォトセンサが所定位置にそれぞれ配置される。各発光素子６３は、可変定電流回路６５により給電されて発光する。可変定電流回路６５は、デジタル信号をアナログ信号に変換するＤ／Ａ変換器６６を介して、制御部６７から制御信号が与えられる。可変定電流回路６５は、該制御信号によりその出力電流が制御される。各受光部６４の光検知出力信号は、制御部６７に入力される。
【０００６】
紙葉類６１の搬送路６８内には、複数のフォトセンサが配置されているため、どのフォトセンサで紙葉類６１による遮光が検知されたかを、制御部６７において監視することにより、制御部６７は、紙葉類６１が搬送路６８内のどの位置に搬送されたかを検知し、紙葉類６１の分別処理等の搬送制御を行う。
【０００７】
発光素子６３の波長として、紙葉類６１の搬送の検知のためだけであれば、人の可視領域の波長の可視光を用いてもよいが、可視光の発光素子６３を用いた場合、発光素子６３の発光が人に容易に知覚され、それによって該発光素子６３の周辺部に対するイタズラ心理を誘引する虞があり、そのようなイタズラ心理の誘引を防止するために、発光素子６３の波長として不可視の波長、例えば近赤外線等の不可視光が用いられる。
【０００８】
発光素子６３及び受光部６４によるフォトセンサの感度は、個体差又は設置誤差によるバラツキが有り、また、紙葉類取扱装置６０の長期使用により感度のズレを生じる。これらの感度のバラツキやズレに対処するために、フォトセンサの感度調整の回路が用いられる。
【０００９】
安定的かつ簡便な感度調整の回路として、可変定電流回路６５を用いることができる。発光素子６３に電流を供給する電源として可変定電流回路６５を用い、該可変定電流回路６５の出力電流を、制御部６７によりＤ／Ａ変換機６６を介して制御する。発光素子６３の電流を調整するにことにより、発光素子６３の光量が調整され、フォトセンサの感度が調整される。なお、調整誤差の許容範囲が大きい場合は、可変定電流回路６５に代えて可変定電圧回路を用いてもよい。
【００１０】
搬送路６８内に複数のローラー６２を配置し、紙葉類６１をローラー６２の回転により搬送路６８内で順次搬送し、紙葉類６１が該搬送路６８内のどの位置に搬送されたかを検知する複数のフォトセンサを配置した搬送機構は、下記の特許文献等に記載されている。
【先行技術文献】
【特許文献】
【００１１】
【特許文献１】特開昭５６−８８５７８号公報
【特許文献２】特開昭６４−４８７４２号公報
【特許文献３】特開平２−６１６６号公報
【特許文献４】特開平１−２８８４９２号公報
【発明の概要】
【発明が解決しようとする課題】
【００１２】
紙葉類取扱装置６０の制御部６７は、発光素子６３及び受光部６４から成るフォトセンサにより、紙葉類６１が搬送路６８内のどの位置に搬送されたかを検知し、搬送路６８内で紙葉類６１の搬送異常を検出した場合、搬送を停止するようローラー６２を制御する。
紙葉類取扱装置６０には、図７に示すように、搬送路６８内の異常搬送位置を表示する表示器７１が設けられ、制御部６７は、紙葉類６１の搬送路６８内での搬送異常を検出すると、搬送路６８内の異常搬送位置情報を表示器７１に送出し、表示器７１は異常搬送位置を表示する。
【００１３】
搬送路６８における異常搬送位置の表示は、図７に示すように紙葉類取扱装置６０に設けた表示器７１により表示してもよいし、図８に示すように紙葉類取扱装置６０を包蔵する自動取引装置等の外部装置８０に設けた係員操作画面８１により表示してもよい。
【００１４】
図８に示すように、自動取引装置等の紙葉類取扱装置６０には、紙葉類投入部８３、紙葉類鑑別部８４、紙葉類貯蔵部８５、紙葉類収容部８６、紙葉類リジェクト部８７等が備えられる。それらは、図８において二点鎖線で示すように搬送路６８等を境にして複数のサブユニットに分けられている。
【００１５】
搬送異常を起こした紙葉類６１は、係員等の人の手により排除される。係員等は、紙葉類取扱装置６０に設けた表示器７１又は外部装置８０に設けた係員操作画面８１により表示される、異常搬送位置を示す表示灯や表示文字等を目視して、異常搬送位置を特定し、紙葉類取扱装置６０の内部を開放し、異常搬送位置の紙葉類６１の排除を行う。
【００１６】
表示器７１又は係員操作画面８１による表示は、係員等が異常搬送位置を把握し易い表示形態で表示することが望ましい。しかし、搬送路６８が長い場合、実際の異常搬送位置とそれを表示する表示器７１又は係員操作画面８１の位置とが遠く離れているため、係員等は異常搬送位置の特定に手間取ることがある。
【００１７】
特に、紙葉類取扱装置６０とその外部装置８０とが異なる製造業者等により設計開発される場合、紙葉類取扱装置６０の制御部６７とその外部装置８０の制御部８２との間の通信線８８の情報インタフェースは、標準的な簡易・簡素なものとなることが多く、異常搬送位置の表示形態は、簡易・簡素なものとなる。
【００１８】
簡易・簡素な情報インタフェースでは、予め紙葉類６１の各搬送検知位置に対応付けた番号や記号等の文字により、異常搬送位置を表示するなどの表示形態となる場合があり、そのような表示形態では、係員等は、表示文字に対応付けられた異常搬送位置を、一覧表やマニュアル等を参照して特定しなければならず、異常搬送位置の特定に手間取ることとなる。
【００１９】
一方、図９に示すように、紙葉類６１の搬送位置を検知する発光素子６３と受光部６４とから成る各フォトセンサの近傍に、異常搬送位置を表示する各表示器９１をそれぞれ配置し、紙葉類６１の搬送異常を検知したフォトセンサの近傍の表示器９１により、異常搬送位置を表示する構成とすることが考えられる。
【００２０】
このような構成とすることにより、搬送異常を示す表示器９１の表示を係員等が視認したとき、係員等は、その表示器９１の近傍の搬送路の位置で、紙葉類６１が搬送異常を引起していると判断し、係員等は直ちに異常搬送位置を特定することが可能となる。
【００２１】
しかし、紙葉類６１の搬送位置を検知する各フォトセンサの発光素子６３及び受光部６４の近傍に、異常等を表示する表示器９１をそれぞれ配置する構成にした場合、各表示器９１の発光を制御するための配線９２を、制御部６７から各表示器９１に新たな布設しなければならず、配線数が大幅に増加してしまう。
【００２２】
図８に示すように、紙葉類取扱装置６０内は、複数のサブユニットに分かれ、搬送異常の紙葉類６１の排除を容易に行うことができるように、紙葉類取扱装置６０は、搬送路６８等を境にサブユニット毎に内部が開放可能な可動機構となっている。
【００２３】
紙葉類取扱装置６０内には、紙葉類６１の搬送を検知するフォトセンサの発光素子６３及び受光部６４の配線以外にも、各ローラー６２を駆動するモータや、図示省略の各可動部を駆動するアクチュエータ等を制御するための配線も多数布設されている。紙葉類取扱装置６０の組み立てには、より配線数が少ない方が良く、搬送異常の紙葉類６１の排除などのための可動機構部付近の配線量の増加は、極力回避することが望ましい。
【００２４】
本発明は、紙葉類６１の搬送位置等を検知するフォトセンサとして使用され、紙葉類６１の異常搬送位置等を該フォトセンサの近傍で表示することができる可視発光素子を有し、配線量を増加することなく該可視発光素子の発光の制御が可能なフォトセンサ及び該フォトセンサを備えた紙葉類取扱装置を提供することを目的とする。
【課題を解決するための手段】
【００２５】
本発明の一つの形態としてのフォトセンサは、フォトセンサの発光素子として用いられる第１の発光素子と、前記第１の発光素子に電流を供給する配線から、前記第１の発光素子と並列に電流が供給される表示用の第２の発光素子と、前記第２の発光素子と直列に前記配線に接続され、前記配線から供給される電流又は電圧が所定の閾値以下のとき、前記第１の発光素子は発光するが、前記第２の発光素子は消灯状態であり、前記所定の閾値を超える電流又は電圧が前記配線から供給されたとき、前記第２の発光素子を発光させる発光動作点レベルシフト手段と、を備えたことを特徴とする。
【００２６】
また、フォトセンサの発光素子として用いられる第１の発光素子と、前記第１の発光素子に電流を供給する配線から、前記第１の発光素子と並列に電流が供給される表示用の第２の発光素子と、を備え、前記第１の発光素子と前記第２の発光素子とは、異なる順方向降下電圧を有し、前記第１の発光素子の順方向降下電圧は、前記配線から供給される電流又は電圧が所定の閾値以下のときでも前記第１の発光素子が発光する順方向降下電圧であり、前記第２の発光素子の順方向降下電圧は、前記配線から供給される電流又は電圧が前記所定の閾値以下のときは前記第２の発光素子が消灯状態であり、前記所定の閾値を超える電流又は電圧が前記配線から供給されたとき、前記第２の発光素子が発光する順方向降下電圧であることを特徴とする。
【００２７】
また、本発明の他の形態としての紙葉類取扱装置は、紙葉類の搬送位置を検知する複数のフォトセンサの発光素子と、前記フォトセンサの各発光素子に電流を供給する各配線から、前記フォトセンサの各発光素子と並列に電流が供給される表示用の各可視発光素子と、前記表示用の各可視発光素子と直列に前記各配線に接続され、前記各配線から供給される電流又は電圧が所定の閾値以下のとき、前記フォトセンサの各発光素子は発光するが、前記表示用の各可視発光素子は消灯状態であり、前記所定の閾値を超える電流又は電圧が前記各配線から供給されたとき、前記表示用の各可視発光素子を発光させる発光動作点レベルシフト手段と、前記表示用の可視発光素子を発光させるため、前記フォトセンサの各発光素子に流れる電流を制御する制御手段を備えたことを特徴とする。
【００２８】
また、紙葉類の搬送位置を検知するフォトセンサの発光素子と、前記フォトセンサの各発光素子に電流を供給する各配線から、前記フォトセンサの各発光素子と並列に電流が供給される表示用の各可視発光素子と、前記表示用の可視発光素子を発光させるため、前記フォトセンサの各発光素子に流れる電流を制御する制御手段と、を備え、前記フォトセンサの各発光素子と前記表示用の各可視発光素子とは、異なる順方向降下電圧を有し、前記フォトセンサの各発光素子の順方向降下電圧は、前記各配線から供給される電流又は電圧が所定の閾値以下のときでも前記フォトセンサの各発光素子が発光する順方向降下電圧であり、前記表示用の各可視発光素子の順方向降下電圧は、前記各配線から供給される電流又は電圧が前記所定の閾値以下のときは前記表示用の各発光素子が消灯状態であり、前記所定の閾値を超える電流又は電圧が前記各配線から供給されたとき、前記表示用の各可視発光素子が発光する順方向降下電圧であることを特徴とする。
【発明の効果】
【００２９】
本発明によれば、紙葉類の搬送位置等を検知するフォトセンサ又は該フォトセンサを有する紙葉類取扱装置において、フォトセンサの感度調整のための発光素子の電流調整手段を流用して、該フォトセンサの発光素子と並列に電流が供給される表示用の可視発光素子の発光を制御することができるため、配線量を増加させることなく、紙葉類の異常搬送位置等を検知したフォトセンサの近傍の可視発光素子で該異常搬送位置等を表示することができる。
【００３０】
既存のフォトセンサの発光素子の配線を、表示用の可視発光素子に使用することができるため、既存の装置の簡易な改造により、容易に本発明に係る紙葉類取扱装置を構成することができる。また、外部装置上の係員用操作画面との表示情報のインタフェースを綿密に策定する必要がないため、紙葉類取扱装置の設計及び製造が容易になる。
また、搬送位置を検知する各フォトセンサの発光素子と並列に電流が供給され、該フォトセンサの発光素子の近傍に配置された表示用の可視発光素子により、異常搬送位置等を表示することができるため、係員等は、異常搬送位置等を直感的に把握することができ、ダウンタイムの削減が可能となる。
【図面の簡単な説明】
【００３１】
【図１】表示器付きフォトセンサの主要な回路構成を示す図である。
【図２】表示器付きフォトセンサの動作原理の説明図である。
【図３】表示器付きフォトセンサの回路例を示す図である。
【図４】表示器付きフォトセンサの回路例を示す図である。
【図５】表示器付きフォトセンサの表示器の配置例を示す図である。
【図６】紙葉類取扱装置及びフォトセンサの構成例を示す図である。
【図７】異常搬送位置を示す表示器を備えた紙葉類取扱装置の構成例を示す図である。
【図８】異常搬送位置を示す表示器を備えた紙葉類取扱装置の構成例を示す図である。
【図９】異常搬送位置を示す表示器を備えた紙葉類取扱装置の構成例を示す図である。
【発明を実施するための形態】
【００３２】
図１は、表示器付きフォトセンサの主要な回路構成を示す。図１に示すように、表示器付きフォトセンサの回路は、不可視発光素子１１、抵抗１２、可視発光素子１３、レベルシフタ１４、可変定電流回路６５、Ｄ／Ａ変換器６６及び制御部６７を備える。
不可視発光素子１１は、図６等に示した発光素子６３に相当し、紙葉類６１が搬送路６８内のどの位置に移動したかを検知する各フォトセンサの発光素子である。不可視発光素子１１が発光する不可視光は、図６等に示した受光部６４により受光され、搬送路６８内を移動する紙葉類６１が、不可視発光素子１１と受光部６４との間を通過するときに、不可視発光素子１１からの不可視光が該紙葉類６１によって遮光されたことを受光部６４で検知し、該遮光の検知により搬送路６８での紙葉類６１の通過が検知される。
【００３３】
不可視発光素子１１は、電流制限用の抵抗１２と直列接続され、該直列接続された不可視発光素子１１と抵抗１２は、可変定電流回路６５に配線１６により接続される。また、直列接続された不可視発光素子１１と抵抗１２とには、直列接続された可視発光素子１３とレベルシフタ１４とが、並列に接続される。
【００３４】
可視発光素子１３は、紙葉類６１の異常搬送位置等を表示するための発光素子であり、レベルシフタ１４と直列接続され、配線１６を介して可変定電流回路６５に接続される。即ち、不可視発光素子１１と抵抗１２との直列回路と、可視発光素子１３とレベルシフタ１４との直列回路とは、共通の配線１６から可変定電流回路６５により並列に電流が供給される。なお、不可視発光素子１１、抵抗１２、可視発光素子１３、及びレベルシフタ１４は、同一の回路基板１５に搭載してもよい。
【００３５】
可変定電流回路６５は、デジタル信号をアナログ信号に変換するＤ／Ａ変換器６６を介して、制御部６７から電流調整用の制御信号が与えられる。該電流調整用の制御信号により、可変定電流回路６５の出力電流が変化し、該出力電流の変化によって、不可視発光素子１１及び可視発光素子１３に流れる電流が変化する。
【００３６】
可変定電流回路６５の出力電流が小さくなるように電流調整用の制御信号を与えると、レベルシフタ１４の電圧降下により、可視発光素子１３には僅かな電流しか流れず、可視発光素子１３は、ほぼ消灯状態となる。一方、不可視発光素子１１に対しては、抵抗１２による電圧降下が僅かとなるように、抵抗１２の値を選定しておくことにより、可視発光素子１３がほぼ消灯状態でも、不可視発光素子１１に発光可能な電流が流れるようにすることができる。
【００３７】
可変定電流回路６５の出力電流が大きくなるように電流調整用の制御信号を与えると、レベルシフタ１４の電圧降下に打ち勝って、可視発光素子１３にも発光可能な電流が流れ、可視発光素子１３が点灯状態になる。このとき、不可視発光素子１１は、発光状態である。
【００３８】
図２は、表示器付きフォトセンサの動作原理の説明図で、可変定電流回路６５の電流調整値と不可視発光素子１１及び可視発光素子１３の電流との関係を示す。図２において、横軸は、制御部６７から与えられる制御信号による可変定電流回路６５の電流調整値を示し、縦軸は、不可視発光素子１１、可視発光素子１３及び可変定電流回路６５の電流を示している。
【００３９】
図２において、一重実線により、電流調整値に対する不可視発光素子１１の電流２１を示し、二重実線により、電流調整値に対する可視発光素子１３の電流２２を示し、破線により、電流調整値に対する可変定電流回路６５の電流２３を示している。
【００４０】
図２に示すように、電流調整値が表示閾値α以下の領域は、可視発光素子１３に僅かな電流しか流れず、可視発光素子１３は消灯状態であり、可視発光素子１３の非表示領域である。ただし、不可視発光素子１１には、電流調整値が表示閾値α以下の非表示領域で発光可能な電流が流れ、不可視発光素子１１は、非表示領域でフォトセンサの発光素子として動作する。制御部６７は、電流調整値を表示閾値α以下の非表示領域の範囲で調整することにより、不可視発光素子１１の光量が調整され、不可視発光素子１１を用いるフォトセンサの感度が調整される。
【００４１】
表示閾値αを超える電流調整値にして可変定電流回路６５の出力電流を大きくすると、レベルシフタ１４の電圧降下に打ち勝って、可視発光素子１３にも電流が流れ出し、可視発光素子１３が発光する。即ち、表示閾値αを超える領域は、可視発光素子１３による発光が目視可能となる領域であり、可視発光素子１３による異常搬送位置等の表示が可能な表示領域となる。
【００４２】
可視発光素子１３により異常搬送位置等の表示を行っているときは、搬送動作自体が異常であるので、不可視発光素子１１によるフォトセンサの感度は、正常な感度である必要はない。そのため、通常の正常な感度のフォトセンサとして動作させる電流を、不可視発光素子１１に流し続ける必要はない。
【００４３】
そこで、異常搬送位置等を表示する可視発光素子１３の発光がよく目立つよう、可変定電流回路６５から通常動作時の電流を超える大きな出力電流を流しても支障は生じない。可変定電流回路６５から大きな電流を流しても、不可視発光素子１１への電流は、抵抗１２によって制限されるため、不可視発光素子１１の発光機能に悪影響を与える電流は流れない。
【００４４】
また、可視発光素子１３により異常搬送位置等を表示するときに、可変定電流回路６５から供給する電流を、パルス電流とすることにより、異常搬送位置をさらに目立つよう表示することもできる。可変定電流回路６５の出力電流の大小を制御することにより、搬送検知のフォトセンサとしての動作と異常搬送位置等の表示動作との切り分けを行うことができ、異常搬送位置等の表示のために配線量が増加することはない。
【００４５】
図３にレベルシフタ１４としてダイオードを用いた実施例を示す。図３の（ａ）は、レベルシフタ１４として、シリコンダイオード等の通常のダイオード３１を用いた例を示している。図３の実施例において、通常のフォトセンサとしての動作時は、制御部６７から非表示領域の電流調整値の制御信号を、Ｄ／Ａ変換器６６を介して可変定電流回路６５に与える。
【００４６】
可変定電流回路６５は、配線１６を介して不可視発光素子１１及び可視発光素子１３に、非表示領域の電流調整値による電流を並列に供給する。この電流により、不可視発光素子１１には抵抗１２による電圧降下しか生じないため、発光可能な電流が流れて発光し、該発光は受光部６４により受光され、フォトセンサとして動作する。受光部６４の検知出力信号は、配線３２を介して制御部６７に入力される。
【００４７】
一方、可視発光素子１３には、ダイオード３１による電圧降下（順方向降下電圧）に打ち勝つ電流が流れない限り、可視発光素子１３に発光可能な電流が流れず、この電流では可視発光素子１３は発光しない。即ち、通常のフォトセンサ動作時には、可視発光素子１３は消灯状態である。
【００４８】
制御部６７は、搬送異常等の検出により、異常搬送位置等を可視発光素子１３により表示する場合、不可視発光素子１１及び可視発光素子１３に給電する可変定電流回路６５に対して、表示領域の電流調整値を、Ｄ／Ａ変換器６６を介して与える。
【００４９】
可変定電流回路６５は、配線１６を介して、不可視発光素子１１及び可視発光素子１３に並列に、表示領域の電流調整値による電流を供給する。この電流で不可視発光素子１１は発光可能な電流が流れて発光すると共に、可視発光素子１３にも、ダイオード３１による電圧降下（順方向降下電圧）に打ち勝つ電流が流れ、可視発光素子１３に発光可能な電流が流れ、可視発光素子１３も発光する。
【００５０】
各可視発光素子１３は、該可視発光素子１３と並列に電流が流れる各不可視発光素子１１の近傍に配置される。制御部６７は、搬送異常等が検出されたとき、該異常搬送位置等のフォトセンサの不可視発光素子１１の近傍に配置された可視発光素子１３を発光させる。従って、実際の搬送異常等の発生個所の近傍で、異常搬送位置等を表示することができる。
【００５１】
異常搬送位置等を表示する可視発光素子１３の配線は、フォトセンサとして動作する不可視発光素子１１の従来の配線１６を流用することができる。配線１６は、不可視発光素子１１及び可視発光素子１３等を含む回路基板１５に、コネクタ３３により接続され、また、可変定電流回路６５等を含む回路基板３４にコネクタ３５により接続される。不可視発光素子１１及び可視発光素子１３が、共通の配線１６により可変定電流回路６５に接続される。
【００５２】
図３の（ａ）では、ダイオード３１として、１つのダイオード素子しか示していないが、適切な数のダイオード素子を順方向に直列に接続することにより、表示閾値αを適宜選定することができる。また、レベルシフタ１４として、或る所定の電圧（降伏電圧）を上回る電圧が印加されると、急激に電流が流れるツェナーダイオードを用いてもよい。
【００５３】
図３の（ｂ）は、レベルシフタ１４として、降下電圧が異なる複数のレベルシフタを並列に設け、各レベルシフタに発色の異なる可視発光素子１３，３６をそれぞれ直列に接続した実施例を示している。図３の（ｂ）の実施例では、複数のレベルシフタとして、通常のシリコンダイオード３１とツェナーダイオード３７とを用いた例を示している。
【００５４】
降下電圧が異なる複数のレベルシフタを用いることにより、発色の異なる可視発光素子１３，３６の発光動作点レベルが複数段階で切換わり、可変定電流回路６５の電流の調整により、可視発光素子１３，３６の一方だけの発光、及びその両者の同時発光による混色発光等による多色表示を切り分けて行うことができ、表示の種類を増加させることができる。
【００５５】
発光ダイオードは、その両端に印加される電圧が低い間は、電圧を上げても電流が増えず、発光もしないが、或る電圧（順方向降下電圧）を超えると、電圧上昇に対する電流の増え方が急になり、電流量に応じて光を発するようになる。発光ダイオードの順方向降下電圧は、一般的なシリコンダイオードと比較して高く、また、発光色によって異なる。
【００５６】
発光ダイオードの等価回路を、理想ダイオードを使って表すと、図４の（ａ）のように表される。図４の（ａ）の左側は、発光色の異なる各発光ダイオードを示し、図４の（ａ）の右側は、各発光ダイオードの等価回路を示している。図４の（ａ）の右側の電池の記号は、各発光ダイオードの順方向降下電圧を表し、図４の（ａ）の右側のダイオードの記号は、順方向降下電圧がゼロの理想ダイオードを表している。
【００５７】
使用する発光ダイオードの発光色により順方向降下電圧が異なるため、発光ダイオードは、自身が発光動作点のレベルシフタの機能を内包しているものとして扱うことができ、設計の自由度が少なくなるが、発光ダイオードとは別にレベルシフタを用いることなく、発光ダイオード自体のレベルシフト機能を利用してもよい。
【００５８】
図４の（ｂ）は、可視発光素子１３として用いる発光ダイオード自体の順方向降下電圧を、レベルシフト機能として利用し、レベルシフタ１４を設けることなく構成を示す。図４の（ｃ）は、図４の（ｂ）の構成例の可視発光素子１３に過電流が流れるのを防ぐために、電流制限用の抵抗４１を、可視発光素子１３と直列に接続した構成を示している。なお、図４の（ｂ）では、それらに可変定電流回路６５を接続した構成例を示し、図４の（ｃ）では、可変定電圧回路６９を接続した構成例を示している。
【００５９】
図５は、可視発光素子１３の配置位置の実施例を示す。搬送される紙葉類６１を検出する不可視発光素子１１と受光部６４とから成るフォトセンサの取り付け位置には、搬送路６８の板面に、不可視発光素子１１の発光を透過させる透過穴５１が開けられている。
【００６０】
透過穴５１は、図５の（ａ）に示すように、不可視発光素子１１の径より若干の余裕をもって開けられていることが多い。そこで、異常搬送位置等を表示する可視発光素子１３の発光を目視により確認することができる程度の隙間が、透過穴５１と不可視発光素子１１との間に空いている場合は、可視発光素子１３を該透過穴５１の近傍に配置する。こうすることにより、配線１６や回路基板１５等に大幅な改造を行うことなく、本実施形態の表示機能を実現することができる。
【００６１】
搬送異常で停止した紙葉類６１により、可視発光素子１３の発光による表示が遮られて目視できない場合には、図５の（ｂ）に示すように、異常搬送位置等を表示する可視発光素子１３の光線を、搬送路６８の横側の方向に向けて照射し、紙葉類取扱装置の筐体に設けた覗き穴５２から該可視発光素子１３の発光を目視し得るように構成すればよい。
【００６２】
図５の（ｂ）の構成において、覗き穴５２が可視発光素子１３から遠方の位置に存在する場合は、図５の（ｃ）に示すように、樹脂等によるライトガイド５３により、可視発光素子１３の発光を、搬送路６８の側方の筐体の覗き穴に導くようにしてもよい。
【００６３】
また、図５の（ｄ）に示すように、搬送路６８におけるフォトセンサの不可視発光素子１１が設けられた面と対向する位置５４が容易に目視される場合には、異常搬送位置等を表示する可視発光素子１３を、該不可視発光素子１１が設けられた面と対向する位置５４に配置してもよい。
【００６４】
上述した本実施形態において、レベルシフタ１４は、可視発光素子１３を発光させる発光動作点レベルシフト手段として機能する。発光動作点レベルシフト手段は、所定の順方向降下電圧を有するシリコンダイオード等の通常のダイオード、所定の降伏電圧を有するツェナーダイオード、又はそれらを任意数組合せた回路を用いて構成することができる。また、可変定電流回路１６に代えて可変定電圧回路を用いてもよい。
【００６５】
また、上述の実施形態において、紙葉類６１の搬送異常位置として、紙葉類６１の停止を検出したフォトセンサの局所的な位置を表示する実施形態について説明をしたが、制御部６７は、紙葉類６１の停止が検出された位置のフォトセンサの周辺部に配置された複数の可視発光素子１３を発光させ、紙葉類取扱装置６０のサブユニット全体の異常の確認を促す構成とすることができる。
【００６６】
また、本実施形態の紙葉類取扱装置６０を備えたＡＴＭ等の自動取引装置において、紙葉類６１を投入する投入部８３には、紙葉類６１を監視する多数のフォトセンサが配置されている。そこで、本実施形態の可視発光素子１３を備えたフォトセンサを該投入部８３のフォトセンサに用いて可視発光素子１３を発光させることにより、例えば、投入部８３に返却された紙葉類６１を顧客が取り忘れた場合の注意喚起用の表示手段等に兼用することが可能となる。
【００６７】
以上、本発明の実施形態について説明したが、本発明は、以上に述べた実施形態に限定されるものではなく、本発明の要旨を逸脱しない範囲内で種々の構成又は実施形態を取ることができる。
【符号の説明】
【００６８】
１１    不可視発光素子
１２    抵抗
１３    可視発光素子
１４    レベルシフタ
１５    回路基板
１６    配線
２１    不可視発光素子の電流
２２    可視発光素子の電流
２３    可変定電流回路の電流
α      表示閾値
３１    ダイオード
３２    配線
３３    コネクタ
３４    回路基板
３５    コネクタ
３６    発色の異なる可視発光素子
３７    ツェナーダイオード
４１    抵抗
５１    透過穴
５２    覗き穴
５３    ライトガイド
５４    搬送路の面に対向する位置
６０    紙葉類取扱装置
６１    紙葉類
６２    ローラー
６３    発光素子
６４    受光部
６５    可変定電流回路
６６    Ｄ／Ａ変換器
６７    制御部
６８    搬送路
６９    可変定電圧回路
７１    表示器
８１    係員操作画面
８３    紙葉類受付部
８４    紙葉類鑑別部
８５    紙葉類貯蔵部
８６    紙葉類収容部
８７    紙葉類リジェクト部
８８    通信線
９１    表示器
９２    配線
【図１】
2015172810.tif 000003
【図２】
2015172810.tif 000004
【図３】
2015172810.tif 000005
【図４】
2015172810.tif 000006
【図５】
2015172810.tif 000007
【図６】
2015172810.tif 000008
【図７】
2015172810.tif 000009
【図８】
2015172810.tif 000010
【図９】
2015172810.tif 000011